(57)【要約】【課題】メッセージの送信量を削減可能なプレゼンス情報通知装置、プレゼンス情報通知プログラム、プログラム記録媒体、及びプレゼンス情報通知方法を提供する。【解決手段】ユーザとこのユーザが用いる端末のうち少なくとも一方の状態を示す複数のプレゼンス情報を集約し、参照者端末へ一括して通知する一括通知部１１を設ける【選択図】　　　図１
2004072485.tif 000002
【特許請求の範囲】
【請求項１】
通信ネットワークに接続され、ユーザと該ユーザが用いる端末のうち少なくとも一方の状態を示すプレゼンス情報を前記通信ネットワークを介して該プレゼンス情報の参照者が用いる参照者端末へ通知するプレゼンス情報通知装置であって、
同一の参照者端末へ通知されるべきプレゼンス情報が複数ある場合、該複数のプレゼンス情報を集約し、該参照者端末へ一括して通知する一括通知手段
を有することを特徴とするプレゼンス情報通知装置。
【請求項２】
通信ネットワークに接続され、ユーザと該ユーザが用いる端末のうち少なくとも一方の状態を示すプレゼンス情報を前記通信ネットワークを介して該プレゼンス情報を参照する者が用いる参照者端末へ通知するプレゼンス情報通知装置であって、
同一の参照者端末へ通知されるべきプレゼンス情報の全てを前記通信ネットワークに接続された他の機器から収集する収集手段と、
該収集された全てのプレゼンス情報を集約し、前記参照者端末へ一括して通知する一括通知手段と
を有することを特徴とするプレゼンス情報通知装置。
【請求項３】
通信ネットワークに接続され、ユーザと該ユーザが用いる端末のうち少なくとも一方の状態を示すプレゼンス情報を前記通信ネットワークを介して該プレゼンス情報の参照者が用いる参照者端末へ通知するコンピュータで実行可能なプレゼンス情報通知プログラムであって、
前記コンピュータを、
同一の参照者端末へ通知されるべきプレゼンス情報が複数ある場合、該複数のプレゼンス情報を集約し、該参照者端末へ一括して通知する一括通知手段
として機能させることを特徴とするプレゼンス情報通知プログラム。
【請求項４】
通信ネットワークに接続され、ユーザと該ユーザが用いる端末のうち少なくとも一方の状態を示すプレゼンス情報を前記通信ネットワークを介して該プレゼンス情報を参照する者が用いる参照者端末へ通知するコンピュータで実行可能なプレゼンス情報通知プログラムであって、
前記コンピュータを、
同一の参照者端末へ通知されるべきプレゼンス情報の全てを前記通信ネットワークに接続された他の機器から収集する収集手段と、
該収集された全てのプレゼンス情報を集約し、前記参照者端末へ一括して通知する一括通知手段
として機能させることを特徴とするプレゼンス情報通知プログラム。
【請求項５】
通信ネットワークに接続され、ユーザと該ユーザが用いる端末のうち少なくとも一方の状態を示すプレゼンス情報を前記通信ネットワークを介して該プレゼンス情報の参照者が用いる参照者端末へ通知するコンピュータで実行可能なプレゼンス情報通知プログラムを記録したプログラム記録媒体であって、
前記コンピュータを、
同一の参照者端末へ通知されるべきプレゼンス情報が複数ある場合、該複数のプレゼンス情報を集約し、該参照者端末へ一括して通知する一括通知手段
として機能させるプレゼンス情報通知プログラムを記録したことを特徴とするプログラム記録媒体。
【請求項６】
通信ネットワークに接続され、ユーザと該ユーザが用いる端末のうち少なくとも一方の状態を示すプレゼンス情報を前記通信ネットワークを介して該プレゼンス情報を参照する者が用いる参照者端末へ通知するコンピュータで実行可能なプレゼンス情報通知プログラムを記録したプログラム記録媒体であって、
前記コンピュータを、
同一の参照者端末へ通知されるべきプレゼンス情報の全てを前記通信ネットワークに接続された他の機器から収集する収集手段と、
該収集された全てのプレゼンス情報を集約し、前記参照者端末へ一括して通知する一括通知手段
として機能させるプレゼンス情報通知プログラムを記録したことを特徴とするプログラム記録媒体。
【請求項７】
通信ネットワークに接続され、ユーザと該ユーザが用いる端末のうち少なくとも一方の状態を示すプレゼンス情報を前記通信ネットワークを介して該プレゼンス情報の参照者が用いる参照者端末へ通知するコンピュータを用いるプレゼンス情報通知方法であって、
前記コンピュータが、
同一の参照者端末へ通知されるべきプレゼンス情報が複数ある場合、該複数のプレゼンス情報を集約し、該参照者端末へ一括して通知する一括通知ステップ
を実行することを特徴とするプレゼンス情報通知方法。
【請求項８】
通信ネットワークに接続され、ユーザと該ユーザが用いる端末のうち少なくとも一方の状態を示すプレゼンス情報を前記通信ネットワークを介して該プレゼンス情報を参照する者が用いる参照者端末へ通知するコンピュータを用いるプレゼンス情報通知方法であって、
前記コンピュータが、
同一の参照者端末へ通知されるべきプレゼンス情報の全てを前記通信ネットワークに接続された他の機器から収集する収集ステップと、
該収集された全てのプレゼンス情報を集約し、前記参照者端末へ一括して通知する一括通知ステップと
を実行することを特徴とするプレゼンス情報通知方法。
【発明の詳細な説明】
【０００１】
【発明の属する技術分野】
本発明は、ユーザの端末がオンラインか、オフラインかといった端末状況や、ユーザ本人の位置といったユーザの位置情報といった状況情報を示すプレゼンス情報を、インターネット網等の通信ネットワークを介して、プレゼンス情報を参照する者が用いる参照者端末へ通知するためのプレゼンスサーバ等のプレゼンス情報通知装置、プレゼンス情報通知プログラム、プログラム記録媒体、プレゼンス情報通知方法に関する。
【０００２】
【従来の技術】
プレゼンス情報通知装置は、プレゼンス情報を公開する端末（以下、公開者端末とする）からプレゼンス情報を受信するとともに記憶し、プレゼンス情報の参照者（以下、参照者とする）が用いる端末（以下、参照者端末とする）へ通知する装置であり、プレゼンス情報を通知するにあたっては、どの参照者端末にどのユーザ端末のプレゼンス情報を通知するかが記載されたリストデータに基いて、１個のプレゼンス情報を通知するごとに１個のメッセージを作成し、送信していた。
【０００３】
【発明が解決しようとする課題】
上記のようなプレゼンス情報通知装置を用いるプレゼンスサービスにおいては、ユーザ端末のプレゼンス情報更新を行うにあたって、リアルタイム性を確保することが要求され、その更新間隔は短くなる傾向にあり、結果としてメッセージの送信量が増加し、装置自体にかかる負荷が増大することが想定される。
【０００４】
また、前記の点に加えて、ユーザの増加に対応してネットワーク上に複数のプレゼンス情報通知装置が多数配置されると、個々のプレゼンス情報通知装置にかかる負荷は分散されずにむしろ更に増大してしまう場合もある。
【０００５】
しかしながら、従来のプレゼンス情報通知装置は、１個のプレゼンス情報を通知するごとに１個のメッセージを作成し、送信する関係上、上記の状況には対応しきれないばかりか、メッセージ送信量の増加を更に顕著にし、ネットワーク全体そして装置自体にかかる負荷を更に増大させてしまう場合がある。
【０００６】
このような事情に鑑み本発明は、メッセージの送信量を削減可能なプレゼンス情報通知装置、プレゼンス情報通知プログラム、プログラム記録媒体、及びプレゼンス情報通知方法を提供することをその目的とする。
【０００７】
【課題を解決するための手段】
請求項１に記載の本発明は、通信ネットワークに接続され、ユーザとユーザが用いる端末のうち少なくとも一方の状態を示すプレゼンス情報を通信ネットワークを介してプレゼンス情報の参照者が用いる参照者端末へ通知するプレゼンス情報通知装置であって、同一の参照者端末へ通知されるべきプレゼンス情報が複数ある場合、複数のプレゼンス情報を集約し、参照者端末へ一括して通知する一括通知手段を有することを要旨とする。
【０００８】
請求項１に記載の本発明にあっては、同一の参照者端末へ通知されるべきプレゼンス情報が複数ある場合、複数のプレゼンス情報を集約し、参照者端末へ一括して通知するため、メッセージの送信量を削減することができる。
【０００９】
請求項２に記載の本発明は、通信ネットワークに接続され、ユーザとユーザが用いる端末のうち少なくとも一方の状態を示すプレゼンス情報を通信ネットワークを介してプレゼンス情報を参照する者が用いる参照者端末へ通知するプレゼンス情報通知装置であって、同一の参照者端末へ通知されるべきプレゼンス情報の全てを通信ネットワークに接続された他の機器から収集する収集手段と、収集された全てのプレゼンス情報を集約し、参照者端末へ一括して通知する一括通知手段とを有することを要旨とする。
【００１０】
請求項２に記載の本発明にあっては、同一の参照者端末へ通知されるべきプレゼンス情報全てを通信ネットワークに接続された他の機器から収集し、収集された全てのプレゼンス情報を集約し、参照者端末へ一括して通知するため、メッセージの送信量を削減することができる。
【００１１】
請求項３に記載の本発明は、通信ネットワークに接続され、ユーザとユーザが用いる端末のうち少なくとも一方の状態を示すプレゼンス情報を通信ネットワークを介してプレゼンス情報の参照者が用いる参照者端末へ通知するコンピュータで実行可能なプレゼンス情報通知プログラムであって、コンピュータを、同一の参照者端末へ通知されるべきプレゼンス情報が複数ある場合、複数のプレゼンス情報を集約し、参照者端末へ一括して通知する一括通知手段として機能させることを要旨とする。
【００１２】
請求項３に記載の本発明にあっては、同一の参照者端末へ通知されるべきプレゼンス情報が複数ある場合、複数のプレゼンス情報を集約し、参照者端末へ一括して通知するため、メッセージの送信量を削減することができる。
【００１３】
請求項４に記載の本発明は、通信ネットワークに接続され、ユーザとユーザが用いる端末のうち少なくとも一方の状態を示すプレゼンス情報を通信ネットワークを介してプレゼンス情報を参照する者が用いる参照者端末へ通知するコンピュータで実行可能なプレゼンス情報通知プログラムであって、コンピュータを、同一の参照者端末へ通知されるべきプレゼンス情報の全てを通信ネットワークに接続された他の機器から収集する収集手段と、収集された全てのプレゼンス情報を集約し、参照者端末へ一括して通知する一括通知手段として機能させることを要旨とする。
【００１４】
請求項４に記載の本発明にあっては、同一の参照者端末へ通知されるべきプレゼンス情報全てを通信ネットワークに接続された他の機器から収集し、収集された全てのプレゼンス情報を集約し、参照者端末へ一括して通知するため、メッセージの送信量を削減することができる。
【００１５】
請求項５に記載の本発明は、通信ネットワークに接続され、ユーザとユーザが用いる端末のうち少なくとも一方の状態を示すプレゼンス情報を通信ネットワークを介してプレゼンス情報の参照者が用いる参照者端末へ通知するコンピュータで実行可能なプレゼンス情報通知プログラムを記録したプログラム記録媒体であって、コンピュータを、同一の参照者端末へ通知されるべきプレゼンス情報が複数ある場合、複数のプレゼンス情報を集約し、参照者端末へ一括して通知する一括通知手段として機能させるプレゼンス情報通知プログラムを記録したことを要旨とする。
【００１６】
請求項５に記載の本発明にあっては、同一の参照者端末へ通知されるべきプレゼンス情報が複数ある場合、複数のプレゼンス情報を集約し、参照者端末へ一括して通知するためのプレゼンス情報通知プログラムを記録しており、これをコンピュータに読み込ませ、実行させるだけでメッセージの送信量を削減可能なプレゼンス情報通知装置を実現できる。
【００１７】
請求項６に記載の本発明は、通信ネットワークに接続され、ユーザとユーザが用いる端末のうち少なくとも一方の状態を示すプレゼンス情報を通信ネットワークを介してプレゼンス情報を参照する者が用いる参照者端末へ通知するコンピュータで実行可能なプレゼンス情報通知プログラムを記録したプログラム記録媒体であって、コンピュータを、同一の参照者端末へ通知されるべきプレゼンス情報の全てを通信ネットワークに接続された他の機器から収集する収集手段と、収集された全てのプレゼンス情報を集約し、参照者端末へ一括して通知する一括通知手段として機能させるプレゼンス情報通知プログラムを記録したことを要旨とする。
【００１８】
請求項６に記載の本発明にあっては、同一の参照者端末へ通知されるべきプレゼンス情報全てを通信ネットワークに接続された他の機器から収集し、収集された全てのプレゼンス情報を集約し、参照者端末へ一括して通知するためのプレゼンス情報通知プログラムを記録しており、これをコンピュータに読み込ませ、実行させるだけでメッセージの送信量を削減可能なプレゼンス情報通知装置を実現できる。
【００１９】
請求項７に記載の本発明は、通信ネットワークに接続され、ユーザとユーザが用いる端末のうち少なくとも一方の状態を示すプレゼンス情報を通信ネットワークを介してプレゼンス情報の参照者が用いる参照者端末へ通知するコンピュータを用いるプレゼンス情報通知方法であって、コンピュータが、同一の参照者端末へ通知されるべきプレゼンス情報が複数ある場合、複数のプレゼンス情報を集約し、参照者端末へ一括して通知する一括通知ステップを実行することを要旨とする。
【００２０】
請求項７に記載の本発明にあっては、同一の参照者端末へ通知されるべきプレゼンス情報全てを通信ネットワークに接続された他の機器から収集し、収集された全てのプレゼンス情報を集約し、参照者端末へ一括して通知するため、メッセージの送信量を削減することができる。
【００２１】
請求項８に記載の本発明は、通信ネットワークに接続され、ユーザとユーザが用いる端末のうち少なくとも一方の状態を示すプレゼンス情報を通信ネットワークを介してプレゼンス情報を参照する者が用いる参照者端末へ通知するコンピュータを用いるプレゼンス情報通知方法であって、コンピュータが、同一の参照者端末へ通知されるべきプレゼンス情報の全てを通信ネットワークに接続された他の機器から収集する収集ステップと、収集された全てのプレゼンス情報を集約し、参照者端末へ一括して通知する一括通知ステップとを実行することを要旨とする。
【００２２】
請求項８に記載の本発明にあっては、同一の参照者端末へ通知されるべきプレゼンス情報全てを通信ネットワークに接続された他の機器から収集し、収集された全てのプレゼンス情報を集約し、参照者端末へ一括して通知するため、メッセージの送信量を削減することができる。
【００２３】
【発明の実施の形態】
以下、図面を用いつつ本発明のプレゼンス情報通知装置、プレゼンス情報通知プログラム、プログラム記録媒体、及びプレゼンス情報通知方法についての説明を行う。
【００２４】
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、実施の形態を説明するための全図において、同一要素のものは同一符号を付与し、これらに関する反復説明は省略する。
【００２５】
「第１の実施の形態」
図１は、本発明の第１の実施の形態にかかるプレゼンス情報通知装置としてのプレゼンスサーバの構成を示す図である。
本図においては、ネットワーク上にプレゼンスサーバ１、２、３、及び４が配置されている場合を示しており、各プレゼンスサーバにはユーザ端末が接続されている。
なお、本図では、ユーザ端末５、６、７、８、及び９がプレゼンス情報を公開する側のユーザ（ｐｒｅｓｅｎｔｉｔｙ：公開者）が用いる公開者端末（以下、公開者端末５、６、７、８、及び９とする）であり、プレゼンスサーバ１、３、及び４が公開者端末のプレゼンス情報を管理する公開者側サーバ（ｐｒｅｓｅｎｔｉｔｙ　ｓｅｒｖｅｒ）であり（以下、公開者側サーバ１、３、及び４とする）、ユーザ端末１０が、公開者端末から公開されたプレゼンス情報を参照する参照者（ｗａｔｃｈｅｒ）が用いる参照者端末（以下、参照者端末１０とする）である場合を示し、参照者端末１０に接続されたプレゼンスサーバ２を参照者側サーバ（ｗａｔｃｈｅｒ　ｓｅｒｖｅｒ）２と呼称する。また、例えば、プレゼンスサーバ２が公開者側サーバとして機能し、ユーザ端末１０が公開者端末として機能する場合もある。
【００２６】
上記のような公開者側サーバ１、３、及び４の構成は同一であるが、以降の説明は、公開者側サーバ１を例にとり行う、前述のとおり、従来のプレゼンス情報公開装置は、同一の参照者端末へ通知されるべきプレゼンス情報が複数ある場合においても、１個のプレゼンス情報につき１個のプレゼンス情報メッセージ（以下、メッセージとする）を作成し、送信していたが、本発明の公開者側装置１は、複数のプレゼンス情報を集約し、一括して通知するための一括通知部１１（請求項に記載の一括通知手段に対応）を有する。
【００２７】
この一括通知部１１は、公開者端末５、６、及び７其々のプレゼンス情報を受信する受信部１２と、これらのプレゼンス情報を一つのメッセージとして集約する集約部１３と、集約されたメッセージを参照者側端末１０へ通知する通知部１４を有する。これにより、従来のプレゼンス情報通知装置と比べ、メッセージ送信量を削減することが可能となる。
【００２８】
また、公開者側サーバ１は、接続されている参照者端末１０にどの公開者端末のプレゼンス情報を通知するべきか、換言すれば参照者端末１０がどの公開者端末のプレゼンス情報を参照するかが記載されたリストを記憶しており（本図の場合は、公開者端末５、６、及び７の全て）、このリストに基づいて、前述の手順によりプレゼンス情報を公開する。
なお、このリストは定期的に更新される他、参照者端末１０からの要求に応じて更新される場合もある。この要求は、参照者側サーバ２を介して公開者側サーバ１に伝達される。
【００２９】
図３は、図１の公開者側サーバ１の作用を示す図である。
前述のリストの定期更新とは別に、参照者側サーバ２（図１）が参照者端末１０（図１）からのリスト内容の更新要求及び更新内容データを受信すると（ステップ１）、これらを公開者側サーバ１へ転送し（ステップ２ａ）、これらを受信した公開者側サーバ１は、リストの更新（ステップ３ａ）を行う。
【００３０】
また、公開者側サーバ１は、プレゼンス情報の定期更新のタイミングに合わせて、公開者端末５、６、及び７（図１）のプレゼンス情報を受信するとともに上記のリストを参照し（ステップ４ａ）、参照者端末１０に通知すべきプレゼンス情報が複数ある場合は複数のプレゼンス情報を１個のメッセージに集約し（ステップ５ａ）、参照者端末１０へメッセージ通知を行う（ステップ６ａ）。その後は、次のプレゼンス情報の定期更新のタイミングに合わせて前記の手順を繰り返す。
【００３１】
「第２の実施の形態」
図２は、本発明の第２の実施の形態にかかるプレゼンス情報通知装置としてのプレゼンスサーバの構成を示す図である。
なお、本図では、ユーザ端末５、６、７、８、及び９がプレゼンス情報を公開する側のユーザ（ｐｒｅｓｅｎｔｉｔｙ：公開者）が用いる公開者端末（以下、公開者端末５、６、７、８、及び９とする）であり、プレゼンスサーバ１、３、及び４が公開者端末のプレゼンス情報を管理する公開者側サーバ（ｐｒｅｓｅｎｔｉｔｙ　ｓｅｒｖｅｒ）であり（以下、公開者側サーバ１、３、及び４とする）、ユーザ端末１０が、公開者端末から公開されたプレゼンス情報を参照する参照者（ｗａｔｃｈｅｒ）が用いる参照者端末（以下、参照者端末１０とする）である場合を示し、参照者端末１０に接続されたプレゼンスサーバ２を参照者側サーバ（ｗａｔｃｈｅｒ　ｓｅｒｖｅｒ）２と呼称する。また、例えば、プレゼンスサーバ２が公開者側サーバとして機能し、ユーザ端末１０が公開者端末として機能する場合もある。
【００３２】
図１の第１の実施の形態においては、公開者側サーバ１が公開者端末５、６、及び７のプレゼンス情報を一括して参照者端末１０に通知する場合を示したが、本実施の形態においては、参照者側サーバ２が同一の参照者端末（本実施の形態においては参照者端末１０）へ通知すべきプレゼンス情報が複数存在する場合にこれらの全てをネットワークに接続された他の機器（本実施の形態においては、収集公開者サーバ１、３、及び４を指す）から収集し、１個のメッセージとして集約し、参照者端末１０へ通知する。
【００３３】
このため、参照者側サーバ２は、収集部２１（請求項の収集手段に対応）と一括通知部２２とを有し、この一括通知部２２は、集約部２３と通知部２４とからなる。
【００３４】
収集部２１は、公開者側サーバ１、３、及び４において管理されている公開者端末のプレゼンス情報の内、参照者端末１０へ通知すべきプレゼンス情報を収集し、これら全てを１個のメッセージに集約し、通知部２４は、このメッセージを参照者端末１０へ通知する。
【００３５】
なお、上記の動作に先立ち、公開者側サーバ１においては、公開者端末５、６、及び７のプレゼンス情報が１個に集約される。
【００３６】
上記の点により、従来のプレゼンス情報通知装置と比べ、メッセージ送信量を削減することが可能となる。
【００３７】
また、参照者側サーバ２は、接続されている参照者端末１０にどの公開者端末のプレゼンス情報を通知するべきか、換言すれば参照者端末１０がどの公開者端末のプレゼンス情報を参照するかが記載されたリストを記憶しており（本図の場合は、図示する公開者端末の全て）、このリストに基づいて、前述の手順によりプレゼンス情報を公開する。
なお、このリストは定期的に更新される他、参照者端末１０からの要求に応じて更新される場合もある。
【００３８】
図４は、図２の公開者側サーバ１の作用を示す図である。
前述のリストの定期更新とは別に、参照者側サーバ２（図１）が参照者端末１０（図１）からのリスト内容の更新要求及び更新内容データを受信すると（ステップ１）、これに基づいてリストの更新を行う（ステップ２ｂ）。
【００３９】
次に、プレゼンス情報の定期更新のタイミングに合わせて、図１の公開者端末全てのプレゼンス情報を収集し（ステップ３ｂ）、また、上記のリストを参照し（ステップ４ｂ）、参照者端末１０に通知すべきプレゼンス情報が複数ある場合は複数のプレゼンス情報を１個のメッセージに集約し（ステップ５ｂ）、参照者端末１０へメッセージ通知を行う（ステップ６ｂ）。その後は、次のプレゼンス情報の定期更新のタイミングに合わせて前記の手順を繰り返す。
【００４０】
図５は、従来のプレゼンス情報通知装置と本発明のプレゼンス情報通知装置としてのプレゼンスサーバのメッセージ送信量を示す図である。
まず、図中の記号の説明を行う。ｎはネットワーク上のプレゼンスサーバ数を指し、ｍは１プレゼンスサーバあたりのユーザ端末接続数、ｐは１個の参照者端末が参照するプレゼンス情報の平均値（プレゼンス情報の参照数は、参照者端末毎に差があるので平均値とする）である。また、（）内の値は、ｍ＝１万、ｎ＝４、ｐ＝５の場合で計算した値である。
【００４１】
第１の実施の形態で示したように公開者側サーバから通知を行う場合のメッセージ送信量は２．９万であり、従来例のメッセージ送信量の５万と比べると約４０％削減されている。
【００４２】
また、第２の実施の形態で示したように参照者側サーバから通知を行う場合のメッセージ送信量は１．０万であり、従来例のメッセージ送信量５万と比べると８０％削減されている。
【００４３】
なお、上記のような本発明のプレゼンス情報通知装置としてのプレゼンスサーバは、インターネット網等のネットワークに接続可能なコンピュータ（サーバ）等を図１及び図２に示した各部として機能させるプログラムを用意し、このプログラムをコンピュータ等に読み込ませ、実行させることにより実現可能である。
【００４４】
したがって、このようなプログラム、及び上記のプレゼンス情報通知装置としてのプレゼンスサーバを用いるプレゼンス情報通知方法も本発明の範囲に含まれる。
【００４５】
また、ユーザ端末には、パソコン、携帯電話、ＰＤＡ（Ｐｅｒｓｏｎａｌ　Ｄｉｇｉｔａｌ　Ａｓｓｉｓｔａｎｃｅ）等のあらゆる情報端末が含まれる。
【００４６】
【発明の効果】
以上、詳細に説明したように、本発明のプレゼンス通知装置（プレゼンスサーバ）、プレゼンス通知プログラム、プレゼンス通知法方法によれば、通信ネットワーク上に複数のプレゼンス情報通知装置が存在する場合においても、従来のプレゼンス情報通知装置に比べて、装置１個当たりの発信メッセージ量を軽減させることが可能となり、これに付随して、プレゼンス情報通知サービスの利用者が増大した場合においても、装置の性能に左右されずに、質の高いプレゼンス情報通知サービスを提供可能となる。
【００４７】
さらに、本発明のプログラム記録媒体によれば、記録しているプレゼンス情報通知プログラムをコンピュータに読み込ませ、実行させるだけで前述の効果を奏するプレゼンス情報通知装置（プレゼンスサーバ）を実現することが可能となる。
【図面の簡単な説明】
【図１】本発明の第１の実施の形態にかかるプレゼンス情報通知装置としてのプレゼンスサーバの構成を示す図である。
【図２】本発明の第２の実施の形態にかかるプレゼンス情報通知装置としてのプレゼンスサーバの構成を示す図である。
【図３】図１のプレゼンスサーバの作用を示す図である。
【図４】図２のプレゼンスサーバの作用を示す図である。
【図５】従来のプレゼンス情報通知のメッセージ送信量と本発明のプレゼンスサーバのメッセージ送信量を示す図である。
【符号の説明】
１、３、４　プレゼンスサーバ（公開者側サーバ）
２　プレゼンスサーバ（参照者側サーバ）
５、６、７、８、９　ユーザ端末（公開者端末）
１０　ユーザ端末（参照者端末）
１１、２２　一括通知部
１２　プレゼンス情報受信部
１３、２３　集約部
１４、２４　通知部
２１　収集部
【図１】
2004072485.tif 000003
【図２】
2004072485.tif 000004
【図３】
2004072485.tif 000005
【図４】
2004072485.tif 000006
【図５】
2004072485.tif 000007